(57)【要約】【課題】使用者の外耳道に最適のポジションで発音できるように受話部を制御可能として、受話ポジションを意識せず通話や接続経過音の確認が最適の状態で可能となる通話装置を提供する。【解決手段】平面スピーカー・赤外線センサー制御基板（制御部）２５は、５×５マス状に均等に区分けされた光不透過性絶縁樹脂素材による壁２３に区切られた空間に配置された赤外線センサー２２にて、使用者の耳に赤外線を照射し、ある一定時間内の範囲で照射に対する反射の中から一番反射時間が遅いと判断したところを外耳道付近として検出する。検出した赤外線センサー２２の真下にある平面スピーカー２１に対してのみ接続経過音や通話音を発生させる。外耳道の移動に伴ってリアルタイムに外耳道の位置を検出して、個々の平面スピーカー２１の発生量を変化させることが可能である。【選択図】図３
2009005161.tif 000002
【特許請求の範囲】
【請求項１】
発信による接続経過音や接続後の受信通話音を発音する受話部と、
自分の声を相手に伝えるためのマイク部と、
前記受話部の発音を制御する制御部と
を備え、
前記受話部は、複数の発音手段と使用者の外耳道の位置を検出する検出手段とを備え、
前記制御部は、検出した外耳道の位置にある発音手段からのみ発音させることを特徴とする通話装置。
【請求項２】
発信による接続経過音や接続後の受信通話音を発音する受話部と、
自分の声を相手に伝えるためのマイク部と、
前記受話部の発音を制御する制御部と
を備え、
前記受話部は、複数の発音手段と使用者の外耳道の位置を検出する検出手段とを備え、
前記制御部は、検出した外耳道の位置にある発音手段と、その周囲の発音手段から発音させることを特徴とする通話装置。
【請求項３】
前記受話部は、マトリクス状に発音手段及び検出手段が配され、この発音手段及び検出手段が押しボタンスイッチ上に搭載されており、
前記制御部は、使用者が耳に受話部を当てて押しボタンスイッチがＯＮした場合、前記検出手段に検出させることを特徴とする請求項１又は２に記載の通話装置。
【請求項４】
前記発音手段は平面スピーカーであり、前記検出手段は、赤外線センサーであることを特徴とする請求項３に記載の通話装置。
【請求項５】
前記制御部は、所定時間の範囲内で押しボタンスイッチがＯＮ／ＯＦＦした回数に応じて、電話の発着信開始や終了操作を可能とすることを特徴とする請求項３又は４に記載の通話装置。
【発明の詳細な説明】
【技術分野】
【０００１】
本発明は、使用者の外耳道とマッチする受話部の最良のポジションを制御可能として、受話ポジションを意識せず通話や接続経過音の確認が最適の状態で可能となる通話装置に関するものである。
【背景技術】
【０００２】
従来のシンプルな携帯電話端末機器（以下、シンプルフォン）において、コスト低減により、受話部は最低限の通話音さえ確認できれば良いといった単純な構造を有している。以下、従来のシンプルフォンの構成について図９を参照しながら説明する。
【０００３】
図９の１００はシンプルフォン本体であり、１０１は相手の声を聞くための受話部、１０２は自分の声を相手に伝えるためのマイク部、１０３は掛けたい相手の電話番号を入力する為に必要とされる０から９と＊＃が設けられているダイヤル入力ボタン部、１０４はダイヤル入力ボタン部１０３で入力された電話番号に対して電話を掛けるため及び相手から電話が掛かって来た時に応答のための開始ボタン部、１０５は発着信・通話の状態を終了するための終了ボタン部が設けられている。
図９の受話部１０１は、シンプルフォン本体１００に２φ程度の穴が開いており、その穴の置くにスピーカーが配置されている。
【０００４】
次に、このような従来のシンプルフォンにおいて、その構成、受話部の動作について図９を参照しながら説明する。まず、このように構成された携帯電話における発信操作についてその手順の一例を説明する。
【０００５】
使用者は、相手側の電話番号をダイヤル入力ボタン部１０３から入力する。ダイヤルボタン部１０３にて相手側の電話番号を入力し終わったら、開始ボタン部１０４を押下して発信動作に入る。発信動作にて使用者はシンプルフォン本体１００の受話部１０１に耳を当てて掛け手の相手へ接続している過程である接続経過音を受話部１０１より認識する。その後、使用者は、掛け手の相手が呼び出しに応じると、掛け手の相手の通話音が受話部１０１にて認識する。また、掛け手の相手と通話が終わったら終了ボタン部１０５を押下にて通話が終了する。使用者は、掛け手の相手から通話が切断されると接続経過音が受話部１０１にて認識し、これによりシンプルフォン本体１００に当てていた耳を離す。
【０００６】
このようなシンプルフォン１００を使用する場合、シニア層や携帯電話を初めて使用する者などにとっては、シンプルフォン１００の受話部１０１に耳を当てて通話・接続経過音の確認の際、良いポジションがうまく探すことができず、聞きにくいまま確認している現状がある。又、シンプルフォンとはいえ、重さは１００ｇ程度はあり、シンプルフォンを持ちながらの会話及び相手接続待ち時間が長い場合、また外部スピーカーへ切替操作し通話内容のメモを取るといった場合、シニア層や携帯電話を初めて使用する者に結構負担がかかる。
【０００７】
そこで、例えば、特許文献１の技術では、シンプルフォン本体に汎用センサー等搭載して、使用者とシンプルフォン本体の距離を検出し、結果により使用者に適切な音量を制御し、使用者に品質の良い通話音等を提供するものが開示されている。
【特許文献１】特開２００４−２２１８０６号公報
【発明の開示】
【発明が解決しようとする課題】
【０００８】
しかしながら、シンプルフォンに汎用センサーを搭載して、使用者とシンプルフォンの距離を計測・結果に応じて音量制御を行っても、使用者の外耳道がシンプルフォンの受話部の中心にポジションできない場合は、通話の明瞭さが確保されなくなる。結局、前述のように、シンプルフォンとはいえ重さは１００ｇ程度はあり、シンプルフォンを持ちながらの会話及び相手接続待ち時間が長い場、使用者の外耳道とシンプルフォンの受話部中心での良いポジションでの通話維持が厳しく又、外部スピーカーへ切替し通話内容のメモを取る場合、シニア層や携帯電話を初めて使用する者に負担がかかる。
【０００９】
本発明の目的は、使用者の外耳道に最適のポジションで発音できるように受話部を制御可能として、受話ポジションを意識せず通話や接続経過音の確認が最適の状態で可能となる通話装置を提供することにある。
また、本発明の他の目的は、できるだけ操作を簡略化して、使用者の利便性を図ることができる通話装置を提供することにある。
【課題を解決するための手段】
【００１０】
本発明は、発信による接続経過音や接続後の受信通話音を発音する受話部と、自分の声を相手に伝えるためのマイク部と、前記受話部の発音を制御する制御部とを備え、
前記受話部は、複数の発音手段と使用者の外耳道の位置を検出する検出手段とを備え、前記制御部は、検出した外耳道の位置にある発音手段からのみ発音させることを特徴とする通話装置である。
【００１１】
また、本発明は、発信による接続経過音や接続後の受信通話音を発音する受話部と、自分の声を相手に伝えるためのマイク部と、前記受話部の発音を制御する制御部とを備え、
前記受話部は、複数の発音手段と使用者の外耳道の位置を検出する検出手段とを備え、前記制御部は、検出した外耳道の位置にある発音手段と、その周囲の発音手段から発音させることを特徴とする通話装置である。
【００１２】
ここで、前記受話部は、マトリクス状に発音手段及び検出手段が配され、この発音手段及び検出手段が押しボタンスイッチ上に搭載されており、前記制御部は、使用者が耳に受話部を当てて押しボタンスイッチがＯＮした場合、前記検出手段に検出させることを特徴とする。
【００１３】
また、前記発音手段は平面スピーカーであり、前記検出手段は、赤外線センサーであることを特徴とする。
【００１４】
さらに、前記制御部は、所定時間の範囲内で押しボタンスイッチがＯＮ／ＯＦＦした回数に応じて、電話の発着信開始や終了操作を可能とすることを特徴とする。
【発明の効果】
【００１５】
本発明によれば、受話部に押し当てられた使用者の外耳道の位置を検出して、その外耳道の位置にある発音手段或いはその位置の周囲の発音手段も含めて発音させるので、常に最良のポジションでの接続経過音又は通話音が確認できるといった効果が生まれる。
【００１６】
又、受話部には、押しボタンスイッチが組み込まれており、使用者の耳が受話部に押し当てられ、また離話される状態を検出可能となり、所定時間範囲内にＯＮ／ＯＦＦする所定回数に応じて、発信開始や停止を制御できるので、使用者の耳の単純な動作で制御可能となり、通話内容のメモを取る際の切り替え操作は非常に簡素化されシニア層や携帯電話を初めて使用する者には利便性が向上するといった効果も生まれる。
【発明を実施するための最良の形態】
【００１７】
本発明の実施形態について、図を参照しながら説明する。
図１は、本発明の通話装置であるシンプルフォンの外観を示す図である。
【００１８】
図１のシンプルフォン本体１０は、使用者の耳を当て発信による接続経過音や接続後の通話内容を常に最良のポジションで確認することが可能な受話マトリクス構成部（受話部）１１、自分の声を相手に伝えるためのマイク部１２、掛けたい相手の電話番号を入力する為に必要とされる０から９と＊＃が設けられているダイヤル入力ボタン部１３、ダイヤル入力ボタン部１３で入力された電話番号に対して電話を掛けるため及び相手から電話が掛かって来た時に応答のための開始ボタン部１４、発着信通話の状態を終了するための終了ボタン部１５を備えている。
【００１９】
図２は受話マトリクス構成部１１を示す平面図、図３は受話マトリクス構成部１１のボタンスイッチ部がＯＦＦ状態である時の断面図、図４は受話マトリクス構成部１１のボタンスイッチ部がＯＮ状態である時の断面図である。
【００２０】
受話マトリクス構成部１１は、５×５のマス状にて均等に区分けされた光不透過性絶縁樹脂素材による壁２３を設け、光不透過性絶縁樹脂素材による壁２３によって仕切られた空間に、平面スピーカー（発音手段）２１と、その真上に赤外線センサー（検出手段）２２を設けている。そして、５×５のマス全体が、押しボタンＳＷ２４に搭載されている。
【００２１】
シンプルフォン本体１０の受話マトリクス構成部１１に使用者の耳を当てると、図３の押しボタンＳＷ２４が押されていない状態（ＯＦＦ状態）から図４のように押しボタンＳＷ２４が押される状態（ＯＮ状態）となる。又、逆にシンプルフォン本体１０から使用者の耳が離れると、図４のように押しボタンＳＷ２４が押される状態（ＯＮ状態）から図３の押しボタンＳＷ２４が押されていない状態（ＯＦＦ状態）となる。こうして、押しボタンＳＷ２４のＯＮ／ＯＦＦにより、使用者が耳を押し当てたか否かを検出する。
【００２２】
図３の平面スピーカー・赤外線センサー制御基板（制御部）２５は、図２の５×５マス状に均等に区分けされた光不透過性絶縁樹脂素材による壁２３に区切られた空間に配置された赤外線センサー２２にて、使用者の耳に赤外線を照射し、ある一定時間内の範囲で照射に対する反射の中から一番反射時間が遅いと判断したところを外耳道付近として検出する。検出した赤外線センサー２２の真下にある平面スピーカー２１に対してのみ接続経過音や通話音を発生させる。外耳道の移動に伴ってリアルタイムに外耳道の位置を検出して、個々の平面スピーカー２１の発生量を変化させることが可能である。
【００２３】
接続経過音や通話音を出力する平面スピーカー２１と、その真上に配置した赤外線センサー２２を有する５×５マスの真上からは、光透過性の高い網目状のプラステック素材をかぶせ、押しボタンＳＷ２４と一体形成とした受話マトリクス構成部１１が構築される。
【００２４】
このようにシンプルフォンを使って発信・通話での受話マトリクス構成部の動作一例を説明する。まず発信の一例を説明する。
【００２５】
使用者は、掛ける相手の電話番号を、ダイヤル入力ボタン部１３にて入力後、発信動作を許可する為．開始ボタン部１４を押下する。開始ボタン部１４を押下後、使用者の耳が受話マトリクス構成部１１に押し当てられて、図３の押しボタンＳＷ２４が押されていない状態から図４の押しボタンＳＷ２４が押される状態になり、赤外線センサー２２が赤外線照射を開始する。そして、相手が応答するまでに接続途中である接続経過音が発生し始める。この時、まだ、使用者の外耳道の検出がされていない状態であれば、平面スピーカー２１の全てから発音する。
【００２６】
赤外線センサー２２が、ある一定時間内の範囲で赤外線を照射し、その照射に対する反射光を受光する。平面スピーカー・赤外線センサー制御基板部２５は、照射から反射光の受光までの時間をカウントしている。そして、一番反射時間が遅いと判断した赤外線センサー２２があった場合、その赤外線センサー２２の位置に使用者の外耳道があると判断して、平面スピーカー・赤外線センサー制御基板部２５は、受光時間が一番長かった赤外線センサーの直下に当たる受話マトリクス構成部１１内の平面スピーカー２１のみから接続経過音を発生させる。逆に、ある一定時間内の範囲で照射に対する反射が全く無いと判断した場合、あるいは図３の押しボタンＳＷ２４が押されていない状態から図４のように押しボタンＳＷ２４が押される状態である場合、全ての赤外線センサー２２直下の平面スピーカー２１より接続経過音を発生させる。
【００２７】
次ぎに、通話状態の一例を説明する。
【００２８】
開始ボタン部１４を押下すると発信し、相手方が応答し通話状態となる。通話状態では、マイク部１２にて使用者の声を相手へ届けることになること及び受話マトリクス構成部１１内の平面スピーカー２１からは通話音が発生する以外は発信の一例と同様であり、詳しい説明は省略する。
【００２９】
このシンプルフォン１０において、赤外線センサー２２の赤外線の照射から反射光の受光時間範囲を説明する。図５は、押しボタンＳＷ２４がＯＮして、赤外線センサーが赤外線を照射してから反射光を検出する時間範囲を示している。横軸は時間（ｍｓｅｃ）、縦軸は押しボタンＳＷ２４のＯＮ／ＯＦＦ状態を示している。
【００３０】
前述の通り、開始ボタン部１４を押下後、使用者の耳が押しボタンＳＷ２４に押し当てられて、押しボタンＳＷ２４が押されていない状態（ＯＦＦ）から押される状態（ＯＮ）になった場合（図３→図４）、受話マトリクス構成部１１内の赤外線センサー２２は、赤外線照射を開始するが、このポイントが図５のＡ（０ｍｓｅｃ）である。その後、相手が応答するまでに接続途中である接続経過音が発生する。
【００３１】
押しボタンＳＷ２４に使用者の耳が押し当てられていれば、赤外線センサー２２から照射された赤外線は、ある一定時間内の範囲で受光する。その反射光を検出する時間範囲は図５のＢ区間であり、赤外線照射後、２〜９ｍｓｅｃの間である。反射の中から一番反射時間が遅いポイントはＣ（９ｍｓｅｃ）である。Ｂ区間は、押しボタンＳＷ２４がＯＮ状態で受光するので、押しボタンＳＷの中間閾値より大きいＤ方向側である（斜線部分）。
【００３２】
こうして、受話マトリクス構成部１１に押し当てられた使用者の外耳道の位置を赤外線センサー２２にて検出して、その外耳道の位置にある平面スピーカー２１のみから接続経過音又は通話音を発するので、使用者にとって常に最良のポジションでの接続経過音又は通話音が確認できるといった効果が生まれる。
【００３３】
平面スピーカー・赤外線センサー制御基板部２５は、常に赤外線照射後のＢ範囲で検出された反射光の中で、もっとも検出までに時間がかかった赤外線センサー２２の位置が使用者の外耳道であると判断し、その位置の平面スピーカー２１からのみ接続経過音や通話音を発生させる。
【００３４】
また、シンプルフォン１０において、一定時間の範囲内にボタンＳＷ２４が押され又は離れている時間の組み合わせにより、発信と終話の判断する関係について説明する。図６は、押しボタンＳＷ２４がＯＦＦからＯＮ状態になった場合を検出する時間範囲を示している。
【００３５】
例えば、発信時に、使用者は、掛ける相手の電話番号をダイヤル入力ボタン部１３にて入力後、使用者の耳が受話マトリクス構成部１１内の押しボタンＳＷ２４に押し当てられる。そして、押しボタンＳＷ２４が押されていない状態（ＯＦＦ）から押される状態（ＯＮ）になった場合を図６のＦ時間範囲（０〜３ｓｅｃ）内で確認できた場合、平面スピーカー・赤外線センサー制御基板部２５は、発信動作を開始する。
【００３６】
さらに、押しボタンＳＷ２４をＯＮ／ＯＦＦすることにより、通話を切断することについて、以下に説明する。図７は、押しボタンＳＷ２４がＯＮ／ＯＦＦの繰り返しを検出する時間範囲を示している。
【００３７】
押しボタンＳＷ２４が押されている状態（ＯＮ）と押されていない状態（ＯＦＦ）が図７のＧ時間範囲（０〜６ｓｅｃ）内に２回繰り返された場合、平面スピーカー・赤外線センサー制御基板部２５は、終話動作を開始し通話を切断する。
【００３８】
こうして、使用者は、開始ボタン部１４や終了ボタン部１５を押すことなしに、耳を受話マトリクス構成部１１に押し当てるのみで、発信・切断を行なうことができ、操作が簡単である。従って、通話内容のメモを取る際の切り替え操作は非常に簡素化されシニア層や携帯電話を初めて使用する者には利便性が向上する。
【００３９】
前述の通り、このシンプルフォン１０において、赤外線センサー２２が使用者の外耳道の位置を検出して、その位置にある平面スピーカー２１のみから接続経過音や通話音を発生させる。しかし、外耳道にピンポイントで平面スピーカー２１より発音させると、耳の移動に短時間で対応する制御を行なう必要も出てくる。そこで、外耳道の位置にある平面スピーカーと、その周囲にある平面スピーカーも発音させると、多少対応性に劣る制御系であっても、十分に使用に耐えるものになる。
【００４０】
例えば使用者の外耳道の検出位置が受話マトリクス構成部１１の中央にあれば図８の（１）、右上であれば図８の（２）、左上であれば図８の（３）、左下であれば（４）、右下であれば（５）、中央上であれば（６）、中央下であれば（７）の斜線部分から接続経過音や通話音を発生する。
【００４１】
ある一定時間内の範囲で照射に対する反射が全く無いと判断した場合、且つ受話マトリクス構成部１１内の押しボタンＳＷ２４が押されていない状態から押される状態である場合には、全ての平面スピーカー２１（図８の（８）の斜線部分）より接続経過音や通話音を発生させる。
【図面の簡単な説明】
【００４２】
【図１】本発明の通話装置であるシンプルフォンの外観を示す図である。
【図２】受話マトリクス構成部を示す平面図である。
【図３】受話マトリクス構成部のボタンスイッチ部がＯＦＦ状態である時の断面図である。
【図４】受話マトリクス構成部のボタンスイッチ部がＯＮ状態である時の断面図である。
【図５】押しボタンＳＷがＯＮして、赤外線センサーが赤外線を照射してから反射光を受光するまでの時間範囲を示す図である。
【図６】押しボタンＳＷがＯＦＦからＯＮ状態になった場合を検出する時間範囲を示す図である。
【図７】押しボタンＳＷがＯＮ／ＯＦＦの繰り返しを検出する時間範囲を示す図である。
【図８】平面スピーカーの発音範囲を示す図である。
【図９】従来のシンプルフォンの構成を示す図である。
【符号の説明】
【００４３】
１０  シンプルフォン
１１  受話マトリクス構成部
１２  マイク部
１３  ダイヤル入力ボタン部
１４  開始ボタン部
１５  終了ボタン部
２１  平面スピーカー
２２  赤外線センサー
２３  光不透過性絶縁樹脂素材による壁
２４  押しボタンＳＷ
２５  平面スピーカー・赤外線センサー制御基板部
【図１】
2009005161.tif 000003
【図２】
2009005161.tif 000004
【図３】
2009005161.tif 000005
【図４】
2009005161.tif 000006
【図５】
2009005161.tif 000007
【図６】
2009005161.tif 000008
【図７】
2009005161.tif 000009
【図８】
2009005161.tif 000010
【図９】
2009005161.tif 000011